(57)【要約】【課題】たとえスマートフォンなどの携帯用のモバイル機器の前面部に外部から衝撃が加えられても安全に保護することができ、しかも、カバーを開かなくても表示画面の内容を確認したりタッチ操作したりできるので、モバイル機器の使い勝手を高めることができるモバイル機器用の保護カバーの提供。【解決手段】  本発明は、モバイル機器の表示画面及び前面部を保護する保護カバーに表示画面の内容を確認するための透視部が形成されるモバイル機器の保護カバーを提供する。また、本発明は、モバイル機器の前面部を保護する保護カバーにおいて、前記保護カバーには、前記表示画面から発せられる光によって外部から画面の内容を透視するための透視部材を有する透視部が形成されるモバイル機器の保護カバーを提供する。【選択図】  図３Ａ
2014093770.tif 000002
【特許請求の範囲】
【請求項１】
携帯用のモバイル機器の表示画面を保護するための保護カバーにおいて、
前記保護カバーは、前記モバイル機器が駆動されるときに、前記表示画面に表示される主な情報を前記保護カバーが前記表示画面の上に覆われた状態で確認するための透視部を備えることを特徴とするモバイル機器用の保護カバー。
【請求項２】
前記透視部は、前記モバイル機器が駆動されるときに、前記表示画面における主な情報の表示領域に対応する位置に形成されることを特徴とする請求項１に記載のモバイル機器用の保護カバー。
【請求項３】
前記透視部は、前記表示画面と同じ大きさを有することを特徴とする請求項１または２に記載のモバイル機器用の保護カバー。
【請求項４】
前記保護カバーは、前記モバイル機器の背面に取り付けられている背面カバーをはずしてさらに取り付ける取付カバーを備え、前記取付カバーと連結部材によって連結されて前記表示画面を保護することを特徴とする請求項１〜３のいずれか一項に記載のモバイル機器用の保護カバー。
【請求項５】
前記透視部は、保護カバーの前面部の一部に開口部が形成され、この開口部には、前記表示画面を保護するための透視部材が配設されることを特徴とする請求項１〜４のいずれか一項に記載のモバイル機器用の保護カバー。
【請求項６】
前記透視部材は、開口部に対応するように取り付けられて外部に露出される透視画面部と、この透視画面部の外周縁に形成される固定部と、を備え、前記固定部は、前記保護カバーの内部に挿設されて一体に組み立てられることを特徴とする請求項５に記載のモバイル機器用の保護カバー。
【請求項７】
前記透視部材は、導電性機能を有する透明または半透明の合成樹脂、強化ガラスまたはハーフミラーから製作されて、外部から表示画面をタッチして操作可能であることを特徴とする請求項５または６に記載のモバイル機器用の保護カバー。
【請求項８】
前記透視部材は、前記表示画面に表示される主な情報または表示内容の位置及び外周の大きさに対応するように形成されることを特徴とする請求項５〜７のいずれか一項に記載のモバイル機器用の保護カバー。
【請求項９】
前記透視部材は、前記保護カバーに横方向に形成されることを特徴とする請求項５〜８のいずれか一項に記載のモバイル機器用の保護カバー。
【請求項１０】
前記透視部材は、前記保護カバーに縦方向に長尺に形成されることを特徴とする請求項５〜８のいずれか一項に記載のモバイル機器用の保護カバー。
【請求項１１】
前記透視部材は、前記保護カバーに横方向または縦方向に形成されるが、片側に偏って形成されることを特徴とする請求項５〜８のいずれか一項に記載のモバイル機器用の保護カバー。
【請求項１２】
前記固定部は、前記透視部材を除く残りの領域に延設され、前記固定部の両側面には貼合部材が配設されて外側部材及び内側部材と貼り合わせられることを特徴とする請求項６に記載のモバイル機器用の保護カバー。
【請求項１３】
前記固定部と、前記外側部材及び内側部材の間には、補強部材がさらに介装されることを特徴とする請求項１２に記載のモバイル機器用の保護カバー。
【請求項１４】
前記保護カバーは、前記表示画面の外周に沿って周縁部が形成され、前記透視部材は、前記表示画面と対応する大きさに前記周縁部の領域内に形成されて外部に露出されることを特徴とする請求項５に記載のモバイル機器用の保護カバー。
【請求項１５】
前記保護カバーには、前記携帯用のモバイル機器の前面部に配設された機能部品に対応する位置に機能孔が穿設されることを特徴とする請求項１〜１４のいずれか一項に記載のモバイル機器用の保護カバー。
【請求項１６】
前記機能孔は、通話スピーカー孔、正面カメラ孔、ユーザ認識孔及び調光センサ孔の選択的な組み合わせからなることを特徴とする請求項１５に記載のモバイル機器用の保護カバー。
【請求項１７】
前記保護カバーの一方の側における前記携帯用のモバイル機器の機能ボタン部またはタッチボタン部に対応する位置に押下ボタン表示部がさらに形成されることを特徴とする請求項１〜１６のいずれか一項に記載のモバイル機器用の保護カバー。
【請求項１８】
前記透視部材は、前記保護カバーに埋設されるが、その底面部が前記表示画面に接触しないように微隙間をあけて埋設されることを特徴とする請求項５に記載のモバイル機器用の保護カバー。
【請求項１９】
前記携帯用のモバイル機器の背面の一方の側には取付感知部が配設されて、この取付感知部が前記取付カバーに配設される取付認識部と接触式または非接触式で接続されることによって前記保護カバーの取付有無が認識され、
前記取付カバーが取り付けられるときには、携帯用のモバイル機器の表示画面に表示される主な情報が前記保護カバーの透視部材の領域にしか表示されないことを特徴とする請求項４に記載のモバイル機器用の保護カバー。
【請求項２０】
前記保護カバーには、前記表示画面に前記保護カバーが覆われている状態か否かを判別する感知手段が内蔵され、前記感知手段は、前記モバイル機器の背面に設けられる回路接続部と連結される背面カバーの接続端子部と有線または無線で開閉状態を送受信しながら前記モバイル機器の制御回路部と相互連動して保護カバーの開閉状態に応じて前記表示画面をオンまたはオフにすることを特徴とする請求項４に記載のモバイル機器用の保護カバー。
【請求項２１】
前記保護カバーは、外側部材と内側部材を備え、前記透視部材は、透視画面部と、この透視画面部の周縁部に形成される固定部と、を備えて、前記固定部が前記外側部材と内側部材との間に挟持されて一体に組み立てられることを特徴とする請求項５に記載のモバイル機器用の保護カバー。
【請求項２２】
前記外側部材と内側部材との間には補強部材がさらに介装され、前記固定部は、前記補強部材の内部に嵌着されることを特徴とする請求項２１に記載のモバイル機器用の保護カバー。
【請求項２３】
前記補強部材は、合成樹脂製の第１の補強板及び第２の補強板を備え、前記第１の補強板と第２の補強板との間に形成された載置部に前記固定部が収容され、前記載置部の内側に前記開口部と連通するように形成された透視ウィンドウを介して前記透視画面部が外部に露出されることを特徴とする請求項２２に記載のモバイル機器用の保護カバー。
【請求項２４】
前記第１の補強板と第２の補強板、及び前記載置部と固定部は貼合部材によって一体に貼り合わせられ、前記外側部材と内側部材は、前記第１の補強板と第２の補強板の外側面と前記貼合部材によって貼り合わせられることを特徴とする請求項２３に記載のモバイル機器用の保護カバー。
【請求項２５】
前記載置部の一方の側には、フレキシブルプリント基板（ＦＰＣＢ）が収容される収容溝がさらに凹設されることを特徴とする請求項２４に記載のモバイル機器用の保護カバー。
【請求項２６】
前記フレキシブルプリント基板（ＦＰＣＢ）の一方の端には、前記補強部材の内部に収容されて保護カバーの開閉有無を感知する感知手段が配設され、フレキシブルプリント基板（ＦＰＣＢ）の途中部は、保護カバーの一方の端部と連結される連結部材の内部に引き込まれ、前記フレキシブルプリント基板（ＦＰＣＢ）の他方の端は、前記連結部材と連結されてモバイル機器の背面に取り付けられる取付カバーの内側に配設される接続端子部と連結されて、この接続端子部が前記携帯用のモバイル機器の背面に設けられた回路接続部と接続されて保護カバーの開閉有無に応じて前記表示画面をオン／オフにすることを特徴とする請求項２５に記載のモバイル機器用の保護カバー。
【請求項２７】
前記感知手段は、磁気センサ、照度センサ、フォトセンサまたは近接センサであることを特徴とする請求項２０または２６に記載のモバイル機器用の保護カバー。
【請求項２８】
保護カバーが表示画面の上に覆われた状態では、保護カバーの透視部と対応する前記表示画面の一部に主な情報が表示可能なように保護カバーの開閉を認識しうる感知手段を備える携帯用のモバイル機器と連動されるモバイル機器用の保護カバーにおいて、
前記モバイル機器が駆動されるときに、前記表示画面に表示される主な情報を前記保護カバーが前記表示画面の上に覆われた状態で確認するための透視部を有する保護カバーを備え、
前記保護カバーは、連結部材を介して前記モバイル機器の背面に取り付けられる取付カバーと連結されて前記表示画面を開閉することを特徴とするモバイル機器用の保護カバー。
【請求項２９】
前記携帯用のモバイル機器に取り付けられる前記感知手段は、磁気センサ、静電センサ、定圧センサ及び電気接触センサのうちの少なくとも一つ以上であることを特徴とする請求項２８に記載のモバイル機器用の保護カバー。
【請求項３０】
前記保護カバーは、磁気的な信号を送信するためのマグネチック材料または電気的な信号を送信するための伝導性材料をさらに含むことを特徴とする請求項２８または２９に記載のモバイル機器用の保護カバー。
【請求項３１】
保護カバーが表示画面の上に覆われた状態では、保護カバーの透視部と対応する前記表示画面の一部に主な情報が表示可能なように保護カバーの開閉を認識しうる感知手段を備える携帯用のモバイル機器と連動されるモバイル機器用の保護カバーにおいて、
前記モバイル機器が駆動されるときに、前記表示画面に表示される主な情報を前記保護カバーが前記表示画面の上に覆われた状態で確認するための透視部を有する保護カバーを備え、
前記保護カバーは、連結部材を介して前記モバイル機器の背面に取り付けられる取付カバーと連結されて前記表示画面を開閉し、
保護カバーの開閉有無に応じてモバイル機器の表示画面をオンまたはオフにすることを特徴とするモバイル機器用の保護カバー。
【発明の詳細な説明】
【技術分野】
【０００１】
本発明は、スマートフォンやタブレットＰＣなどの携帯用のモバイル機器の前面部を保護する機能を行いながら、表示画面に表示される主な情報と機能を保護カバーを開かなくても確認したり外部からタッチ操作したりできるモバイル機器用の保護カバーに関する。
【背景技術】
【０００２】
最近の携帯電話の技術の発展には目を見張るものがあり、これに伴い、スマートフォンやタブレットＰＣなどのモバイル機器が上市されつつあり、携帯用の通信機器の大変革が起きている。
【０００３】
とりわけ、スマートフォンやタブレットＰＣなどのモバイル機器は、電話機能とインターネット機能はもとより、ノート型パソコン、個人用の携帯情報端末（ＰＤＡ）、パーソナル・メディア・プレーヤー（ＰＭＰ）などの高価な携帯機器を統合した様々な性能を有しており、特に、前面部はフルタッチ表示画面となっているため非常に高価な製品であるといえ、使用中に表示画面を保護しながら使用する必要がある。
【０００４】
このため、破損を防ぎ、且つ、表示画面の表面が引っ掻かれたり汚れたりすることを防ぐために、種々の材質とデザイン及び機能性を有する保護カバーと、このような保護カバーを有する保護ケースが種々上市されており、中でも、タッチ表示画面を保護するためのいわゆる「フリップカバー」と呼ばれる製品が汎用されているのが現状である。
【０００５】
しかしながら、この種の従来の保護カバーは、液晶画面に表示される内容を確認する度にカバーを頻繁に開閉することを余儀なくされるため、モバイル機器の使用が煩雑であるという不都合があった。
【０００６】
また、モバイル機器の使用回数に比例してカバーの開閉動作が繰り返し行われるため、保護カバーと、連結部及び背面カバーなどが毀損され易くなる結果、取り替え周期が短くなり、ユーザに経済的な負担を与えてしまうという不都合があった。
【０００７】
これらの理由から、ユーザは、モバイル機器の前面部を外部の衝撃によって破損しないように保護しながらも、保護カバーを開かなくても表示画面に表示された内容を確認したりタッチ操作したりできるモバイル機器用の保護カバーを切望しているのが現状である。
【発明の概要】
【発明が解決しようとする課題】
【０００８】
本発明の目的は、スマートフォンや小型のタブレットＰＣなどの携帯用のモバイル機器の前面部を保護する機能を行いながら、表示画面に表示される主な情報と機能を保護カバーを開かなくても確認したり外部からタッチ操作したりすることができるモバイル機器用の保護カバーを提供することにある。
【課題を解決するための手段】
【０００９】
上述した目的を達成するために、本発明は、携帯用のモバイル機器の表示画面を保護するための保護カバーにおいて、前記保護カバーは、前記モバイル機器が駆動されるときに、前記表示画面に表示される主な情報を前記保護カバーが前記表示画面の上に覆われた状態で確認するための透視部を備えることを特徴とするモバイル機器用の保護カバーを提供する。
【００１０】
本発明の一実施形態によれば、前記透視部は、前記モバイル機器が駆動されるときに、前記表示画面における主な情報の表示領域に対応する位置に形成されることが好ましい。
【００１１】
本発明の他の実施形態によれば、前記透視部は、表示画面と同じ大きさを有することが好ましい。
【００１２】
本発明のさらに他の実施形態によれば、前記保護カバーは、前記モバイル機器の背面に取り付けられている背面カバーをはずしてさらに取り付ける取付カバーを備え、前記取付カバーと連結部材によって連結されて前記表示画面を保護することが好ましい。
【００１３】
本発明のさらに他の実施形態によれば、前記透視部は、保護カバーの前面部の一部に開口部が形成され、この開口部には、前記表示画面を保護するための透視部材が配設されることが好ましい。
【００１４】
本発明のさらに他の実施形態によれば、前記透視部材は、開口部に対応するように取り付けられて外部に露出される透視画面部と、この透視画面部の外周縁に形成される固定部と、を備え、前記固定部は、前記保護カバーの内部に挿設されて一体に組み立てられることが好ましい。
【００１５】
本発明のさらに他の実施形態によれば、前記透視部材は、導電性機能を有する透明または半透明の合成樹脂、強化ガラスまたはハーフミラーから製作されて、外部から表示画面をタッチして操作可能であることが好ましい。
【００１６】
本発明のさらに他の実施形態によれば、前記透視部材は、前記表示画面に表示される主な情報または表示内容の位置及び外周の大きさに対応するように形成されることが好ましい。
【００１７】
本発明のさらに他の実施形態によれば、前記透視部材は、前記保護カバーに横方向に形成されることが好ましい。
【００１８】
本発明のさらに他の実施形態によれば、前記透視部材は、前記保護カバーに縦方向に長尺に形成されることが好ましい。
【００１９】
本発明のさらに他の実施形態によれば、前記透視部材は、前記保護カバーに横方向または縦方向に形成されるが、片側に偏って形成されることが好ましい。
【００２０】
本発明のさらに他の実施形態によれば、前記固定部は、前記透視部材を除く保護カバーの残りの領域に延設され、前記固定部の両側面には貼合部材が配設されて外側部材及び内側部材と貼り合わせられることが好ましい。
【００２１】
本発明のさらに他の実施形態によれば、前記固定部と、前記外側部材及び内側部材の間には、補強部材がさらに介装されることが好ましい。
【００２２】
本発明のさらに他の実施形態によれば、前記保護カバーは、前記表示画面の外周に沿って周縁部が形成され、前記透視部材は、前記表示画面と対応する大きさに前記周縁部の領域内に形成されて外部に露出されることが好ましい。
【００２３】
本発明のさらに他の実施形態によれば、前記保護カバーには、前記携帯用のモバイル機器の前面部に配設された機能部品に対応する位置に機能孔が穿設されることが好ましい。
【００２４】
前記機能孔は、通話スピーカー孔、正面カメラ孔、ユーザ認識孔及び調光センサ孔の選択的な組み合わせからなることが好ましい。なお、前記保護カバーの一方の側における前記携帯用のモバイル機器の機能ボタン部またはタッチボタン部に対応する位置に押下ボタン表示部がさらに形成されることが好ましい。
【００２５】
本発明のさらに他の実施形態によれば、前記透視部材は、前記保護カバーに埋設されるが、その底面部が前記表示画面に接触しないように微隙間をあけて埋設されることが好ましい。
【００２６】
本発明のさらに他の実施形態によれば、前記携帯用のモバイル機器の背面の一方の側には取付感知部が配設されて、この取付感知部が前記取付カバーに配設される取付認識部と接触式または非接触式で接続されることによって前記保護カバーの取付有無が認識され、前記取付カバーが取り付けられるときには、携帯用のモバイル機器の表示画面に表示される主な情報が前記保護カバーの透視部材の領域にしか表示されないことが好ましい。
【００２７】
本発明のさらに他の実施形態によれば、前記保護カバーには、前記表示画面に前記保護カバーが覆われている状態であるか否かを判別する感知手段が内蔵され、前記感知手段は、前記モバイル機器の背面に設けられる回路接続部と連結される前記取付カバーの接続端子部と有線または無線で開閉状態を送受信しながら前記モバイル機器の内部の制御回路部と相互連動して保護カバーの開閉状態に応じて前記表示画面をオンまたはオフにすることが好ましい。
【００２８】
本発明のさらに他の実施形態によれば、前記保護カバーは、外側部材と内側部材を備え、前記透視部材は、透視画面部と、この透視画面部の周縁部に形成される固定部と、を備えて、前記固定部が前記外側部材と内側部材との間に挟持されて一体に組み立てられることが好ましい。
【００２９】
前記外側部材と内側部材との間には補強部材がさらに介装され、前記固定部は、前記補強部材の内部に嵌着されることが好ましい。
【００３０】
さらに、前記補強部材は、合成樹脂製の第１の補強板及び第２の補強板を備え、前記第１の補強板と第２の補強板との間に形成された載置部に前記固定部が収容され、前記載置部の内側に前記開口部と連通するように形成された透視ウィンドウを介して前記透視画面部が外部に露出されることが好ましい。
【００３１】
前記第１の補強板と第２の補強板、及び前記載置部と固定部は貼合部材によって一体に貼り合わせられ、前記外側部材と内側部材は、前記第１の補強板と第２の補強板の各外側面に前記貼合部材によって一体に貼り合わせられることが好ましい。
【００３２】
前記載置部の一方の側には、フレキシブルプリント基板（ＦＰＣＢ）が収容される収容溝がさらに凹設されることが好ましい。
【００３３】
前記フレキシブルプリント基板（ＦＰＣＢ）の一方の端には、前記補強部材の内部に収容されて保護カバーの開閉有無を感知する感知手段が配設され、フレキシブルプリント基板（ＦＰＣＢ）の途中部は、保護カバーの一方の端部と連結される連結部材の内部に引き込まれ、前記フレキシブルプリント基板（ＦＰＣＢ）の他方の端は、前記連結部材と連結されてモバイル機器の背面に取り付けられる取付カバーの内側に配設される接続端子部と連結されて、この接続端子部が前記携帯用のモバイル機器の背面に設けられた回路接続部と接続されて保護カバーの開閉有無に応じて前記表示画面をオン／オフにすることが好ましい。
【００３４】
さらに、前記感知手段は、磁気センサ、照度センサ、フォトセンサまたは近接センサであることが好ましい。
【発明の効果】
【００３５】
本発明によれば、たとえスマートフォンなどの携帯用のモバイル機器の前面部に外部から衝撃が加えられても安全に保護することができ、しかも、保護カバーを開かなくても表示画面の内容を確認したりタッチ操作したりできるので、保護カバーを取り付けてモバイル機器を安全に保護しながらも、モバイル機器の機能を十分に使いこなすことが可能になる。
【００３６】
また、保護カバーに内蔵される感知手段と、取付カバーに配設される取付感知部によって保護カバーの取付有無をモバイル機器に認識させ、また、保護カバーの開閉有無をも認識する保護カバーを提供することにより、ユーザは、保護カバーを頻繁に開かなくても、外部から透視部材を介してモバイル機器を操作することが可能になる。
【図面の簡単な説明】
【００３７】
以下の図面は単に例示のために提供されるものであり、本発明の範囲を制限するためのものではない。
【００３８】
【図１Ａ】本発明の一実施形態に係るモバイル機器用の保護カバーの構成を示す正面図である。
【図１Ｂ】本発明の一実施形態に係る図１Ａのａ−ａ線の拡大断面図である。
【図２Ａ】本発明の他の実施形態に係るモバイル機器用の保護カバーを示す正面図である。
【図２Ｂ】本発明の他の実施形態に係るモバイル機器用の保護カバーを示す要部断面図である。
【図２Ｃ】本発明の他の実施形態に係る図２Ａのｂ−ｂ線拡大断面図である。
【図３Ａ】本発明のさらに他の実施形態に係るモバイル機器用の保護カバーを示す正面図である。
【図３Ｂ】本発明のさらに他の実施形態に係るモバイル機器用の保護カバーを示す平断面図である。
【図４Ａ】本発明のさらに他の実施形態に係るモバイル機器用の保護カバーの組立構造を示す組立断面図である。
【図４Ｂ】本発明のさらに他の実施形態に係るモバイル機器用の保護カバーの組立構造を示す分解断面図である。
【図５】本発明のさらに他の実施形態に係る補強部材を有するモバイル機器用の保護カバーを示す組立断面図である。
【図６】本発明のさらに他の実施形態に係る補強部材を有するモバイル機器用の保護カバーを示す組立断面図である。
【図７】本発明のさらに他の実施形態に係る補強部材を有するモバイル機器用の保護カバーを示す組立断面図である。
【図８】本発明のさらに他の実施形態に係る保護カバー取付有無感知手段の構成を示す分解正面図である。
【図９】本発明のさらに他の実施形態に係る保護カバー開閉有無感知手段の構成を示す平断面図である。
【図１０】本発明のさらに他の実施形態に係る保護カバー開閉有無感知手段の構成を示す分解正面図である。
【図１１】本発明のさらに他の実施形態に係る保護カバー開閉有無認識方法を示す手順図である。
【発明を実施するための形態】
【００３９】
以下、添付図面に基づき、本発明の好適な実施形態に係るモバイル機器保護カバーについて詳述する。この実施形態においては、モバイル機器に配設された背面カバーをはずした後、保護カバーと、連結部及び背面カバーからなるいわゆる「フリップカバー」と呼ばれる保護ケースに適用したものを例にとって説明するが、本発明は、これに何ら限定されるものではなく、モバイル機器の種類による種々の保護ケースに適用された保護カバーにいずれも適用可能であるということはいうまでもない。
【００４０】
なお、以下の種々の実施形態の説明に際して用いられる同じ符号及び名称は、重複してそのまま用いる。
【００４１】
図１Ａ及び図１Ｂは、本発明の一実施形態に係るモバイル機器用の保護カバーの構成を示す正面図とａ−ａ線の拡大断面図であり、図２Ａから図２Ｃは、本発明の他の実施形態に係るモバイル機器用の保護カバーを示す正面図と、要部断面図及びｂ−ｂ線拡大断面図であり、図３Ａ及び図３Ｂは、本発明のさらに他の実施形態に係るモバイル機器用の保護カバーを示す正面図と平断面図であり、図４Ａ及び図４Ｂは、本発明のさらに他の実施形態に係るモバイル機器用の保護カバーの組立構造を示す組立断面図と分解断面図であり、図５から図７は、本発明のさらに他の実施形態に係る補強部材を有するモバイル機器用の保護カバーを示す組立断面図である。
【００４２】
図８は、本発明のさらに他の実施形態に係る保護カバー取付有無感知手段の構成を示す分解正面図と平断面図であり、図９及び図１０は、本発明のさらに他の実施形態に係る保護カバー開閉有無感知手段の構成を示す分解正面図である。
【００４３】
先ず、本発明の一実施形態に係るモバイル機器用の保護カバーの基本構成について詳細に説明する。
【００４４】
本発明に係るモバイル機器用の保護カバー１０の最大の特徴は、図１Ａから図３Ｂに示すように、前記モバイル機器Ｍが駆動されるときに、前記表示画面Ｐに表示される主な情報Ｆを前記保護カバー１０が前記表示画面Ｐの上に覆われた状態で確認するための透視部２０が配設されているというところにある。
【００４５】
この実施形態における保護カバー１０は、１枚の板状を呈する合成樹脂製のものであってもよく、高周波融着可能な生地と、その間に挟持される補強部材６０との組み合わせであってもよい。
【００４６】
また、表示画面Ｐを保護するために、保護カバー１０の内側面には、柔らかなベルベットやスウェードなどの高周波融着可能な生地が貼り付けられていてもよい。
【００４７】
さらに、モバイル機器の表示画面Ｐに表示される主な情報Ｆとは、保護カバー１０を開かなかった状態で表示画面Ｐに表示される内容のうち、例えば、日付け、現在の時刻、受信番号などをはじめとして、文字、バッテリー残量表示などのアイコンのみを簡略に表示して前記透視部を介して確認可能にする情報を意味する。
【００４８】
例えば、現在の日付けと天気及び時間、留守番中の通話記録、文字メッセージの受信回数、バッテリー残量表示、メール受信事項など主として簡略な主な情報Ｆを知らせるための表示を意味する。
【００４９】
このため、ユーザは、保護カバー１０を開かなかった状態でも、透視部２０を介して表示画面Ｐに透視部２０の領域内に表示される主な情報Ｆを手軽に確認することが可能になる。
【００５０】
このように、前記透視部２０は、本発明の他の実施形態によれば、前記モバイル機器Ｍが駆動されるときに、前記表示画面Ｐにおける主な情報Ｆの表示領域に対応する位置に形成されることが好ましい。
【００５１】
また、前記透視部２０は、表示画面の主な情報Ｆが表示される領域に対応する大きさの開口部１１が形成されるように保護カバー１０の前面の一部が貫設される。
【００５２】
このように開口状に形成される透視部２０は、表示画面Ｐが保護カバー１０に覆われている状態で、前記モバイル機器Ｍが駆動されるときに、すなわち、文字または留守番電話などが受信されたときに、ユーザが保護カバー１０を開かなかった状態で確認することができる。なお、ユーザは、電源ボタンまたはホームボタンなどを押下して日付けと時間またはバッテリー残量などを保護カバーを開かなかった状態で確認することができる。
【００５３】
これにより、ユーザは、保護カバー１０の開口部１１を介して表示画面に表示される主な情報Ｆを保護カバー１０を開かなかった状態でも確認したり、タッチ操作したりできる。
【００５４】
また、本発明の他の実施形態によれば、図１Ａ及び図１Ｂに示すように、前記透視部２０は、保護カバー１０の前面部の一部に開口部１１が形成され、この開口部１１には、前記表示画面Ｐを保護するための透視部材２１がさらに配設されるところに本発明の最大の特徴がある。
【００５５】
上述したように、透視部２０が開口部１１の形状を呈する場合には、透視部２０に表示画面Ｐが露出されるため、表示画面Ｐの表面に衝撃が加えられたり傷付きが発生したりする虞がある。
【００５６】
これを防ぐために、この実施形態においては、前記開口部１１に透視部材２１がさらに配設される。
【００５７】
このような前記透視部材２１は、本発明のさらに他の実施形態によれば、図１Ａまたは図２Ａに示すように、開口部１１の形状が、例えば、矩形である場合に、これと対応するように透視部材２１も矩形である。
【００５８】
好ましくは、透視部材２１は、保護カバー１０と面一になって外部に露出される透視画面部２２を備え、この透視画面部２２の外周縁には保護カバー１０の内部に挿設される固定部２３が配設される。
【００５９】
このため、前記固定部２３が前記保護カバー１０の内部に挿設されるため、保護カバー１０と透視部材２１は一体に組み立てられる。
【００６０】
一方、本発明の他の実施形態によれば、前記透視部２０は、図３Ａに示すように、前記表示画面Ｐと同じ大きさを有する。
【００６１】
このように、透視部２０が表示画面Ｐの全領域に対応して広い面積を有する場合には、モバイル機器Ｍの表示画面Ｐに表示内容の全体が正常に表示可能になるので、ユーザは、保護カバー１０を開かなくても表示画面Ｐを見ながら内容を確認することが可能になるが、この詳細については後述する。
【００６２】
また、本発明のさらに他の実施形態によれば、前記保護カバー１０は、図２Ｃ及び図３Ｂに示すように、前記モバイル機器Ｍの背面に取り付けられている既存の背面カバーをはずした後にさらに取り付ける取付カバー３０を備える。
【００６３】
また、前記取付カバー３０と保護カバー１０は連結部材４０によって連結されることにより、保護カバー１０は連結部材４０によって回転しながら表示画面Ｐの上に覆われたり、これとは逆に、開かれる動作を行うことになる。このとき、前記保護カバー１０が前記表示画面Ｐに覆われた状態では、前記表示画面Ｐが保護され、透視部２０を介して表示画面Ｐの内容を見ることが可能になる。
【００６４】
すなわち、図２Ｃ及び図３Ｂに示すように、保護カバー１０の開閉作動のために、保護カバー１０の一方の側には、軟質の合成樹脂や高周波融着可能な生地が重ねられた連結部材４０が配設される。
【００６５】
また、このように、連結部材４０は、取付カバー３０と保護カバー１０を連結するので、モバイル機器に取り付けられた状態でユーザが前記保護カバー１０を開閉する動作によって前記表示画面Ｐを開閉する。
【００６６】
特に、本発明の保護カバー１０には透視部２０が設けられているので、表示画面Ｐの内容を保護カバー１０を開かなくても確認することが可能になり、既存の保護カバー１０を用いる場合よりも開閉頻度が減る結果、長時間に亘って使用可能になるという卓越した効果を発揮する。
【００６７】
また、図５に示すように、後述する保護カバー１０は、外側部材５０と内側部材５１を備え、内部に補強部材６０が配設された場合には、前記開口部１１の内周縁部が高周波融着されるようになっている。
【００６８】
このような構成においては、前記透視部材２１の固定部２３の内側面が段付き状に形成されて段差部２４が設けられ、この段差部２４には両面テープなどの貼合部材５２が配設される。
【００６９】
このため、前記透視部材２１は、前記貼合部材５２によって前記開口部１１の内周面に組み付けられる。
【００７０】
このような構成によれば、保護カバー１０を完成した後に、開口部１１に透視部材２１を取り付けることにより、様々な材質を有する透視部材２１を選択的に保護カバー１０のデザインに合わせて取り付けることができる。
【００７１】
さらに、透視部２０を仕上げるための上述した透視部材２１は、好ましくは、導電性機能を有する透明または半透明の合成樹脂から製作されてもよく、このような透視部材２１は射出成形によって製作されてもよく、高透明度及び高強度の薄肉のＰＣ材質の板材に機械加工を施して製作してもよい。
【００７２】
特に、図１Ｂに示すように、透視部材２１と固定部２３を一体に形成してもよいが、保護カバー１０を、後述するように、高周波融着可能な生地から製作する場合には、生地の間に別途の補強部材６０を挟持することなく透視画面部２２から固定部２３が板状に延出して補強部材６０の役割を代わりに担ってもよい。
【００７３】
このような構成によれば、補強部材６０が不要になるので、固定部２３に高周波融着可能な生地状の外側部材５０と内側部材５１を貼合部材５２を用いて固定部２３の両面に直接的に貼り付けて一体に製造することができるので、製造工数及びコストが削減されるという効果が得られる。
【００７４】
また、前記透視部材２１は、強化ガラスまたはハーフミラーから製作されてもよいが、強化ガラスは、ＰＣ材質よりもその透明度が良好であり、保護カバー１０に適用する場合に高級感が得られる。
【００７５】
さらに、透視部材２１をハーフミラーから製作する場合に、表示画面Ｐに光が発光しない状態では、鏡の機能を提供して、ユーザが別途の鏡を携行しなくても、鏡の代わりに使用可能であるという付加的な効果が得られ、モバイル機器が駆動されるときには、表示画面Ｐに光が発光されて、表示画面Ｐに表示される主な情報をハーフミラーを介して手軽に確認することが可能になる。
【００７６】
さらに、ＰＣ材質または強化ガラス及びハーフミラーには導電性機能を持たせることにより、保護カバー１０を閉じた状態でも表示画面Ｐをタッチしながら一部の機能を操作することができて、ユーザは、保護カバー１０を開かなかった状態で表示画面Ｐの内容を確認したり、タッチ機能を操作したりできる。
【００７７】
このような構成を有する本発明の保護カバー１０に配設される透視部材２１は、本発明のさらに他の実施形態によれば、前記表示画面Ｐに表示される主な情報Ｆまたは表示内容の位置及びその外周の大きさに対応するように保護カバー１０の前面部に種々に形成可能である。
【００７８】
すなわち、表示画面Ｐに表示される主な情報Ｆは、横方向または縦方向に表示されることが一般的である。
【００７９】
このために、本発明に係る透視部材２１は、一実施形態によれば、図１Ａに示すように、前記保護カバー１０に対して横方向に形成されてもよく、他の実施形態によれば、前記透視部材２１は、図２Ａ及び図６に示すように、前記保護カバー１０に縦方向に長尺に形成されてもよい。
【００８０】
また、本発明のさらに他の実施形態によれば、前記透視部材２１は、前記保護カバー１０に横方向または縦方向に形成されるが、図２Ａに示すように、片側に偏って形成されてもよい。
【００８１】
このように、本発明に係る透視部材２１は、モバイル機器の表示画面Ｐに表示される主な情報Ｆの配列形態に対応して横方向または縦方向の配置形態を有するデザインを採用してもよく、保護カバー１０の一方の周縁部に偏っている配置形態を有するデザインを採用してもよい。
【００８２】
これにより、ユーザは、モバイル機器メーカごとに異なる形の表示画面Ｐの主な情報Ｆの配列形態に応じて本発明の保護カバー１０を選定して使用することが可能になるので、種々の配置形態を有する保護カバー１０の透視部材２１が適用された本発明によれば、ユーザの使い勝手がよくなる。
【００８３】
一方、上述した前記固定部２３は、本発明のさらに他の実施形態によれば、図２Ｃに示すように、前記透視部材２１を除く保護カバー１０の残りの領域に延設され、前記固定部２３の両側面には、外側部材５０と内側部材５１が貼合部材５２によって一体に貼り合わせられている。
【００８４】
さらに、本発明のさらに他の実施形態によれば、前記固定部２３と前記外側部材５０及び内側部材５１の間には、補強部材６０がさらに配設されていてもよい。
【００８５】
これは、保護カバー１０が高周波融着または超音波融着可能な生地から製作される場合、または融着不可能な生地から製作される場合に、生地の内側面に高周波と反応する熱可塑性接着フィルムまたは接着層を形成して高周波と反応しない生地から保護カバー１０を形成する場合のための構成である。
【００８６】
すなわち、図２Ｃまたは図３Ｂに示すように、透視部材２１が縦方向または横方向に保護カバー１０の外周縁または中央に配設され、その残りの部分が一体に延設されて固定部２３を構成してもよい。
【００８７】
この場合、外側部材５０と内側部材５１が生地製であり、その生地の間に別途の補強部材６０などをさらに介装しなくてもよい。
【００８８】
すなわち、前記固定部２３が前記補強部材６０の代わりに生地の間に配設され、前記補強部材６０は前記貼合部材５２によって外側部材５０及び内側部材５１と貼り合わせられて保護カバー１０を形成する。
【００８９】
一方、本発明のさらに他の実施形態によれば、図３Ａに示すように、前記保護カバー１０は、前記表示画面Ｐの外周に沿って周縁部１２が形成される。
【００９０】
前記透視部材２１は、前記表示画面Ｐと対応する大きさを有し、前記周縁部１２の領域内に外部に露出されるように形成される。
【００９１】
上述した実施形態においては、透視部２０が主な情報Ｆを表示するために保護カバー１０の一部に形成されることを想定しており、これに対し、この実施形態においては、表示画面Ｐの全面積と同じ大きさに透視部２０が形成されることを想定している。これにより、この実施形態においては、透視部材２１を保護カバー１０に組み付けるために周縁部１２が形成されている。
【００９２】
このため、透視部材２１の固定部２３は、４面の周縁部に形成され、この固定部２３は、前記周縁部１２に挿設される。
【００９３】
このような構成によれば、透視部材２１を用いて、表示画面Ｐの全体内容を保護カバー１０を開くことなく確認することが可能になる。
【００９４】
加えて、前記透視部材２１を用いて、前記モバイル機器のボタンを押して表示画面Ｐをオンにした後に、外部から表示画面Ｐをタッチ操作しながら使用することが可能になる。
【００９５】
要するに、ユーザは、保護カバー１０を頻繁に開くことなく、表示画面Ｐの内容を確認し、タッチ操作しながら便利に使用することが可能になる。
【００９６】
また、保護カバー１０が表示画面Ｐを保護していることから、外部の衝撃によって傷付きが発生せず、これにより、高価な保護フィルムを貼り付けなかった状態でも表示画面Ｐに傷付きを生じることなく長期に亘って使用することが可能になるという効果が得られる。
【００９７】
一方、本発明のさらに他の実施形態によれば、前記保護カバー１０には、前記携帯用のモバイル機器Ｍの前面部に配設された機能部品に対応する位置に機能孔１３が穿設される。
【００９８】
これにより、本発明に係る保護カバー１０の周縁部には、前記機能孔１３が必ず配設されることが好ましい。
【００９９】
このような前記機能孔１３は、例えば、通話スピーカー孔１４と、正面カメラ孔１５と、ユーザ認識孔１６及び調光センサ孔１７の選択的な組み合わせからなる。
【０１００】
併せて、前記保護カバー１０の一方の側には、前記携帯用のモバイル機器Ｍの機能ボタン部またはタッチボタン部に対応する位置に押下ボタン表示部１８がさらに形成されてなる。
【０１０１】
このような構成によれば、保護カバー１０が覆われた状態でモバイル機器の正面の上下端部に配設された通話スピーカー、正面カメラ、ユーザ認識センサ、調光センサなどが前記機能孔１３を介して外部に露出されるので、保護カバー１０が覆われた状態でもそれぞれの機能が正常に発揮される。
【０１０２】
特に、押下ボタン表示部１８は、保護カバー１０が覆われた状態でモバイル機器の下端に設けられる押下ボタンを操作するときに、ボタンの位置を保護カバー１０が覆われた状態でも確認しやすいようになっている。
【０１０３】
これは、モバイル機器メーカーごとに機能部品の配置形態が異なることや、前記機能以外の付加的な機能を有する部品が追加または削減されることを考慮にいれて保護カバー１０を製作するためである。
【０１０４】
また、本発明のさらに他の実施形態によれば、前記透視部材２１は、前記保護カバー１０に埋設されるが、その底面部が前記表示画面Ｐに接触しないように微隙間Ｄを維持して埋設される。
【０１０５】
すなわち、本発明の保護カバー１０を取り付けて使用すると、既存に保護カバー１０なしにモバイル機器を用いるときと同様に、保護フィルムを貼り付けて用いなくても表示画面Ｐを十分に保護することが可能になる。
【０１０６】
しかしながら、透視部材２１の材質が透明の合成樹脂、強化ガラスまたはハーフミラーである場合に、透視部材２１の硬度が表示画面Ｐと同じ硬度を有するため、保護カバー１０を開閉するときに透視部材２１が表示画面Ｐにぶつかって傷つきや衝撃が加えられることがある。
【０１０７】
これにより、本発明においては、上記の問題を予防するために、図７に示すように、透視部材を保護カバー１０に組み付けるときに、透視部材２１の底面部が表示画面Ｐに接触しないように微隙間Ｄを維持した状態で組み付ける。
【０１０８】
このように透視部材２１の底面は表示画面Ｐと微間隔を維持するため、保護カバー１０が表示画面Ｐに覆われるときに直接的に接触しなくなり、前記表示画面Ｐには、主としてベルベットやスウェードなどの柔らかな触感を有する生地製の保護カバー１０の内側部材５１が直接的に接触するので、傷つきが全く発生しない。
【０１０９】
一方、本発明のさらに他の実施形態によれば、透視部２０を有する保護カバー１０をモバイル機器に取り付けるときに、その取付有無が確認可能なように構成される。
【０１１０】
すなわち、図８に示すように、上述したように、本発明の保護カバー１０は、前記モバイル機器Ｍの背面に取り付けられている既存の背面カバーをはずした後にさらに取り付けられる取付カバー３０が配設されて、この取付カバー３０と連結部材４０によって連結されることにより、前記表示画面Ｐを保護するようになっている。
【０１１１】
このため、既存の背面カバーをはずした後に取付カバー３０を前記モバイル機器Ｍの背面に取り付けると、これをモバイル機器が感知するようにモバイル機器の背面の一方の側に取付感知部７０が配設される。
【０１１２】
また、取付カバー３０の内側面には、前記取付感知部７０が取付カバー３０の取付有無を認識するように取付認識部８０が配設される。
【０１１３】
このような取付認識部８０は、前記取付感知部７０と機構的に接続される接触式に構成されてもよく、取付認識部８０と間隔を維持した状態で接続されるように非接触式に構成されてもよい。
【０１１４】
前記取付認識部８０が接触式に構成される場合には、種々の形態が採用可能であるが、例えば、前記取付感知部７０がマイクロスイッチまたはタクトスイッチなどから構成され、前記取付認識部８０は取付カバー３０の内面に突設される押下突起状に構成されてもよく、この場合、背面カバーには押下突起がなく、取付カバー３０の取り付け状態を認識するように構成される。
【０１１５】
さらに、前記取付認識部８０が非接触式に構成される場合には、例えば、前記取付感知部７０がフォトセンサまたは磁気センサセンサなどから構成されてもよく、前記取付認識部８０は、フォトセンサの光を遮断または通過させる遮断片または磁気センサセンサと連動する金属材質の磁性体から構成されてもよい。
【０１１６】
このため、モバイル機器の背面カバーをはずした後に取付カバー３０を取付すると、押下突起、遮断片または金属の磁性体がスイッチ、フォトセンサまたは磁気センサセンサを作動させることにより、モバイル機器においては、保護カバー１０が配設された取付カバー３０の取付有無を電気的に認識することになる。
【０１１７】
本発明は、このために、前記取付カバー３０が取付されているときには、携帯用のモバイル機器Ｍの表示画面Ｐに表示される主な情報Ｆが前記保護カバー１０の透視部材２１の領域にのみ表示されるように構成されてもよい。
【０１１８】
すなわち、前記保護カバー１０の透視部材２１の画面領域に相当する分の主な情報Ｆを表示画面Ｐに表示することになる。
【０１１９】
このとき、透視部材２１は、上述したように、保護カバー１０の前面部の一部に形成されて主な内容Ｆのみを表示するか、あるいは、前面部のサイズと同じ面積を有して表示画面Ｐの全体内容を表示することになる。
【０１２０】
このため、ユーザは、透視部材２１を介して表示画面Ｐ主な情報Ｆを確認しながら保護カバー１０を開かなかった状態でも外部から透視部材２１の表面をタッチ操作しながらモバイル機器を便利に操作することが可能になる。
【０１２１】
一方、本発明のさらに他の実施形態によれば、保護カバー１０の取付有無を感知するとともに、保護カバー１０の開閉状態を感知するための開閉有無感知手段１１０がさらに配設される。
【０１２２】
すなわち、図９及び図１０に示すように、前記保護カバー１０には、前記表示画面Ｐに保護カバー１０が覆われているか否かを判別する感知手段１１０が内蔵される。
【０１２３】
このために、前記モバイル機器の背面には、回路接続部１３０が設けられるが、前記感知手段１１０は、前記回路接続部１３０と電気的に接続される。
【０１２４】
前記取付カバー３０には接続端子部１２０が内蔵されて、この接続端子部１２０が前記回路接続部１３０と有線または無線にて開閉状態の信号を送受信しながら前記モバイル機器Ｍの内部の制御回路部と相互連動して保護カバー１０の開閉状態に応じて前記表示画面Ｐをオンまたはオフにする。
【０１２５】
このような構成によれば、前記保護カバー１０の取付有無を判断する取付感知部７０と前記感知手段が有機的に連動される。
【０１２６】
すなわち、保護カバー１０を取り付けるためにモバイル機器の背面カバーをはずした後に取付カバー３０を取付すれば、取付認識部８０及び取付感知部７０によってモバイル機器は、保護カバー１０を有する取付カバー３０が取付されたことを認知する。
【０１２７】
また、保護カバー１０の種類によって、モバイル機器は、透視部材２１の大きさに応じて、透視部材２１が居部的な大きさを有するものであるか、それとも、表示画面Ｐと同じ大きさを有するものであるかが認知可能なようにモバイル機器の内部プログラムにおいて制御するように構成されてもよい。
【０１２８】
このため、モバイル機器は、表示画面Ｐに主な情報Ｆを透視部材２１の大きさに合わせて表示するので、ユーザは、外部から透視部材２１の表面に直接的にタッチ操作することが可能になる。
【０１２９】
また、保護カバー１０が前記表示画面Ｐの上に覆われた状態では、保護カバー１０に内蔵された感知手段１１０がこれを感知して、接続端子部１２０と回路接続部１３０を介してモバイル機器に保護カバー１０が覆われているか否かを認識させる。
【０１３０】
この状態で、モバイル機器に文字や留守番電話が受信されると、モバイル機器は、表示画面Ｐに保護カバー１０が覆われていない状態では表示画面Ｐに正常な内容を表示し、表示画面Ｐに保護カバー１０が覆われている状態を認識した場合には透視部材２１の領域にのみ主な情報Ｆを表示する。
【０１３１】
このように、本発明に係る保護カバー１０は、モバイル機器と連動して保護カバー１０の取付有無を取付カバー３０を介してモバイル機器に認識させ、その後には、保護カバー１０が表示画面Ｐに覆われている状態を感知して表示画面Ｐには透視部材２１の大きさに合わせて主な情報Ｆを表示するようになっている。
【０１３２】
このため、本発明の保護カバー１０は、モバイル機器の表示画面Ｐを安全に保護する役割しかしなかった既存の保護カバー１０とは異なり、表示画面Ｐの上に覆われた状態でもタッチ操作しながら使用可能になるという卓越した効果が得られる。
【０１３３】
本発明のさらに他の実施形態によれば、上述した感知手段１１０は、磁気センサ、照度センサ、フォトセンサまたは近接センサであってもよい。
【０１３４】
すなわち、保護カバー１０に内蔵される感知手段１１０がフォトセンサまたは照度センサである場合には、表示画面Ｐの光を感知して保護カバー１０が覆われた状態を感知させ、保護カバー１０に内蔵される感知手段１１０が近接センサである場合には、表示画面Ｐと保護カバー１０との距離を感知して保護カバー１０が覆われた状態を感知させる。
【０１３５】
また、保護カバー１０に内蔵される感知手段１１０が磁気センサである場合には、モバイル機器の表示画面Ｐの周りに磁気センサと連動する磁性体などを設けて、保護カバー１０と連動して保護カバー１０の開閉有無を感知するように構成してもよい。
【０１３６】
このように保護カバー１０に取り付けられる感知手段１１０は、そのセンサの種類及び方式に応じて、保護カバー１０そのものを既存のモバイル機器の仕様を変更することなく適用することができ、モバイル機器メーカーが直接的に保護カバー１０を互換性よく製造する場合には、保護カバー１０とモバイル機器とが相互連動するように構成してもよいということはいうまでもない。
【０１３７】
一方、本発明のさらに他の実施形態によれば、前記感知手段１１０を保護カバー１０の内部に実装するための構成要素をも提供する。
【０１３８】
このために、図４Ａ及び図４Ｂに示すように、前記保護カバー１０は、外側部材５０と、内側部材５１とからなり、前記透視部材２１は、透視画面部２２と、この透視画面部２２の周縁部に形成される固定部２３とからなる。
【０１３９】
さらに、前記固定部２３は、前記外側部材５０と内側部材５１との間に挟持される。
【０１４０】
前記外側部材５０と内側部材５１は、高周波融着または超音波融着可能な生地から製作される場合には、その間には保護カバー１０を板状にするための合成樹脂材質の補強部材６０がさらに配設される。
【０１４１】
また、前記固定部２３は、前記補強部材６０の内部に挿入された状態で固定される。
【０１４２】
すなわち、本発明のさらに他の実施形態によれば、前記補強部材６０は、合成樹脂製の第１の補強板６１及び第２の補強板６２から構成されてもよい。
【０１４３】
前記第１の補強板６１と第２の補強板６２との間には、前記固定部２３が収容可能な載置部６３が設けられ、この載置部６３に前記固定部２３が収容されて貼合部材５２によって貼り合わせられる。
【０１４４】
さらに、前記載置部６３の内側には、前記開口部１１と介するように形成された透視ウィンドウ６４を介して前記透視画面部２２が外部に露出されることにより、透視部材２１を有する保護カバー１０が完成される。
【０１４５】
さらにまた、本発明のさらに他の実施形態によれば、前記第１の補強板６１と第２の補強板６２、前記載置部６３と固定部２３は、それぞれ貼合部材５２によって貼り合わせられる。
【０１４６】
これは、補強部材６０と透視部材２１を板状にするためであり、また、前記外側部材５０と内側部材５１は、前記第１の補強板６１と第２の補強板６２の各外側面に前記貼合部材５２によって貼り付けられて薄肉の保護カバー１０が得られるようにすることが好ましい。
【０１４７】
前記外側部材５０は、外部に露出されるものであるため、衝撃や傷付きに強く、様々なカラー及び模様を有する高周波融着可能な生地から製作される。
【０１４８】
前記内側部材５１は、表示画面Ｐに接触されるものであるため、ベルベットやスウェードなど表示画面Ｐと接触されたときに表示画面Ｐに傷付きを与えない柔らかな生地から製作される。
【０１４９】
また、本発明のさらに他の実施形態によれば、上述した感知手段１１０が保護カバー１０に取り付けられる場合に、感知手段１１０と、取付カバー３０及び連結部材４０を介して電気的に連結するためのフレキシブルプリント基板（ＦＰＣＢ）１００が収容される。
【０１５０】
このために、前記載置部６３の一方の側には、フレキシブルプリント基板（ＦＰＣＢ）１００が収容される収容溝６５がさらに形成される。
【０１５１】
前記収容溝６５は、フレキシブルプリント基板（ＦＰＣＢ）１００の連結経路に沿って形成され、その深さと幅は、フレキシブルプリント基板（ＦＰＣＢ）１００の厚さと幅に合わせて形成され、フレキシブルプリント基板（ＦＰＣＢ）１００の両側面または第１の補強板６１と第２の補強板６２の収容溝６５には両面接着テープなどの貼合部材５２が配設される。
【０１５２】
前記フレキシブルプリント基板（ＦＰＣＢ）１００の一方の端には、前記補強部材６０に内蔵されて保護カバー１０が表示画面Ｐに覆われた状態を感知するための感知手段１１０が配設される。
【０１５３】
前記感知手段１１０が保護カバー１０に内蔵されるために、第１の補強板６１と第２の補強板６２との間に別途の感知手段１１０の収納空間が形成される。
【０１５４】
また、フレキシブルプリント基板（ＦＰＣＢ）１００の収容溝６５は、前記感知手段１１０の収納空間と連通される。
【０１５５】
さらに、フレキシブルプリント基板（ＦＰＣＢ）１００の途中部は、保護カバー１０の一方の端部と連結される連結部材４０の内部に引き込まれるように構成される。
【０１５６】
前記フレキシブルプリント基板（ＦＰＣＢ）１００の他方の端は、前記連結部材４０と連結されてモバイル機器の取付カバー３０の内側に設けられる接続端子部１２０と連結されるが、この接続端子部１２０が前記携帯用のモバイル機器Ｍの背面に設けられた回路接続部１３０と接続されることにより、保護カバー１０が表示画面Ｐに覆われている状態に応じて前記表示画面Ｐをオンまたはオフにする。
【０１５７】
この実施形態において説明した前記感知手段１１０は、上述したように、磁気センサ、照度センサ、フォトセンサまたは近接センサであってもよく、それぞれのセンサによって、保護カバー１０と取付カバー３０の作動に対応して表示画面に表示される主な情報Ｆは、透視部材２１を介して確認可能であるということはいうまでもない。
【０１５８】
本発明のさらに他の実施形態は、携帯用のモバイル機器の背面カバーをはずしてモバイル機器と連結される必要なしに、保護カバーの開閉だけでモバイル機器と連動されるモバイル機器用の保護カバーを提供する。
【０１５９】
一般に、携帯用のモバイル機器の背面カバーをはずして連結することは、モバイル機器とモバイル機器用の保護カバーの見栄え（一体感）を向上させるというメリットがあるが、取り外しの煩雑さがあり、電子的な制御手段を多数備える場合に駆動上の問題を引き起こす余地がある。
【０１６０】
このため、上記の背面カバーをはずすことなく、モバイル機器の表面にモバイル機器用の保護カバーを取り付けて表示画面Ｐの上に覆われた状態を認識可能にする実施形態を提供する。
【０１６１】
この実施形態において、携帯用のモバイル機器は、保護カバー１０が前記表示画面Ｐの上に覆われた状態では、保護カバーの透視部２０と対応する表示画面Ｐの一部に主な情報Ｆを表示するために保護カバー１０の開閉を認識可能な感知手段を備える。
【０１６２】
モバイル機器用の保護カバーは、前記携帯用のモバイル機器に取り付けられて連動される。
【０１６３】
モバイル機器用の保護カバーは、前記モバイル機器Ｍが駆動されたときに、前記表示画面Ｐに表示される主な情報Ｆを前記保護カバー１０が前記表示画面Ｐの上に覆われた状態で確認する透視部２０が配設された保護カバー１０を備え、前記保護カバー１０は、連結部材４０を介して前記モバイル機器Ｍの背面に取り付けられる取付カバー３０と連結されて前記表示画面Ｐを開閉することができる。
【０１６４】
前記携帯用のモバイル機器に含まれている前記感知手段は、磁気センサ、静電センサ、定圧センサ、電気接触センサのうちのいずれか一種であってもよい。
【０１６５】
一般に、前記感知手段として磁気センサまたは電気接触センサを採用することが好ましい。
【０１６６】
この場合、前記保護カバー１０は、磁気的な信号を送信するためのマグネチック材料または電気的な信号を送信するための伝導性材料をさらに含み、これらの材料が含まれている保護カバー１０が表示画面Ｐの上に覆われる場合に、保護カバー１０に含まれているマグネチック材料や伝導性材料が感知手段によって感知されて保護カバー１０が表示画面Ｐの上に覆われている状態をモバイル機器Ｍに知らせることになる。
【０１６７】
また、保護カバー１０が表示画面Ｐの上に覆われている状態をモバイル機器に認識させることに加えて、保護カバー１０が表示画面Ｐの上に覆われている状態に応じて、モバイル機器の表示画面Ｐをオンまたはオフにする実施形態も提供可能である。
【０１６８】
図１１を参照すると、本発明のさらに他の実施形態において、モバイル機器は、保護カバー１０が表示画面Ｐの上に覆われている状態を感知する。
【０１６９】
保護カバーが表示画面Ｐの上に覆われていると認識される場合に、通話を着信する場合に、着信された通話情報を予め設定された表示画面Ｐの一部に表示する。
【０１７０】
保護カバー１０が表示画面Ｐの上に覆われている場合に、報知情報を着信したときに着信した報知情報を予め設定された表示画面Ｐの一部に表示する。
【０１７１】
このとき、着信情報や時間などの報知情報が表示される表示画面Ｐの一部は、保護カバーに形成された透視部とマッチングされてユーザにこれを確認させるように設定される。
【０１７２】
以上の説明は本発明の技術的な思想を例示的に説明したものに過ぎず、本発明が属する技術分野において通常の知識を有する者であれば、本発明の本質的な特性から逸脱しない範囲において種々の修正及び変形が可能である。
【０１７３】
よって、本発明に開示された実施形態は、本発明の技術思想を限定するためのものではなく、単に説明するためのものであり、これらの実施形態によって本発明の技術思想の範囲が限定されることはない。本発明の保護範囲は、下記の請求範囲によって解釈さるべきであり、それと同じ範囲内にあるあらゆる技術思想は、本発明の権利範囲に含まれるものと解釈さるべきである。
【符号の説明】
【０１７４】
１０  保護カバー
１１  開口部
１２  周縁部
１３  機能孔
１４  通話スピーカー孔
１５  正面カメラ孔
１６  ユーザ認識孔
１７  調光センサ孔
１８  押下ボタン表示部        
２０  透視部
２１  透視部材
２２  透視画面部
２３  固定部
２４  段差部
３０  取付カバー
４０  連結部材
５０  外側部材
５１  内側部材
５２  貼合部材
６０  補強部材
６１  第１の補強板
６２  第２の補強板
６３  載置部
６４  透視ウィンドウ
６５  収容溝
７０  取付感知部
８０  取付認識部
１００  フレキシブルプリント基板（ＦＰＣＢ）
１１０  感知手段
１２０  接続端子部
１３０  回路接続部
Ｍ  モバイル機器
Ｐ  表示画面
Ｆ  主な情報
Ｄ  微隙間
【図１Ａ】
2014093770.tif 000003
【図１Ｂ】
2014093770.tif 000004
【図２Ａ】
2014093770.tif 000005
【図２Ｂ】
2014093770.tif 000006
【図２Ｃ】
2014093770.tif 000007
【図３Ａ】
2014093770.tif 000008
【図３Ｂ】
2014093770.tif 000009
【図４Ａ】
2014093770.tif 000010
【図４Ｂ】
2014093770.tif 000011
【図５】
2014093770.tif 000012
【図６】
2014093770.tif 000013
【図７】
2014093770.tif 000014
【図８】
2014093770.tif 000015
【図９】
2014093770.tif 000016
【図１０】
2014093770.tif 000017
【図１１】
2014093770.tif 000018